(57)【特許請求の範囲】
【請求項１】
電極／薄膜／電極タイプの基本セルの積層体であって、前記基本セルが、インタコネクタを用いて交互に配置され、当該積層体全体を貫通する少なくとも２つの燃料ガスの供給管部（５６）及び少なくとも２つの酸化ガスの供給管部（５３）を当該積層体内に備える積層体で構成される燃料電池であって、
前記積層体の内側に配置された前記供給管部（５３、５６）それぞれのため、前記供給管部（５３、５６）それぞれを取り囲む単一の垂直封止部（５２）が用いられ、
ガスの放出が前記積層体の外表面全体にわたって行われることを特徴とする燃料電池。
【発明の詳細な説明】
【技術分野】
【０００１】
本発明は、燃料電池、具体的には高温で動作するＳＯＦＣ(Solid Oxide Fuel Cell)タイプ、すなわち固体電解質型燃料電池の燃料電池に関する。
【背景技術】
【０００２】
ＳＯＦＣタイプの燃料電池は、水素のような燃料である第１の反応性成分酸素のような酸化剤である第２の反応物と電気化学的に反応し、連続的な電流及び熱を作り出す。そのとき、動作温度は、５００から１０００℃の間を含む。このタイプの燃料電池のセルは、２つの多孔質で電子導電性の電極、すなわちアノード及びカソードで構成されており、電子絶縁性のイオン導電体である電解液により隔離されている。アノードは、一般にセラミックとニッケル−ジルコニアタイプの金属との複合材である「サーメット」として知られる構成要素を備える一方、カソードは、ドープランタンマンガナイトで構成されうる。電解液を構成する最も広く用いられている材料は、イットリアがドープされたジルコニアである。
【０００３】
このようなタイプの燃料電池において、酸素は、カソードにおいて電子と反応して酸素イオンを形成し、酸素イオンは、電解液を通ってアノードまで移動する。アノードに注入された燃料（水素）は、酸素イオンと反応して水及び電子を形成し、電子は、外部電気回路を流れる間にアノードからカソードまで循環する。
【０００４】
しかしながら、アノード、電解液及びカソードからなる燃料電池の基本セル(elementary cell)は、一般に１ボルトを越えない電位差を生ずる。より大きな電位差であって電気エネルギーにおける電力の変換を促進し、これにより燃料電池のダウンストリームを発生させる電位差を実現するため、いくつかのセルは、直列に接続されて積層体内でグループ化される。これにより、このようなセルの積層体は、「インタコネクタ」として知られる二極性ウエハにより隔離されている。そのため、このようなインタコネクタは、電子伝導体であり、隣接する２つのセルにおけるアノード及びカソード間に配置される。インタコネクタは、発生した電流を収集可能とし、ある場合においてガスを電極に分配可能とし、あるいは排出口において未使用の反応生成物及びガスを収集可能ともする。したがって、いくつかの基本セルの積層体により、燃料電池が構成可能となる。
【０００５】
これら積層体の主な問題の１つは、封止である。実際には、このような積層体で構成される燃料電池を正確に動作させるため、分配位置及び基本セル位置の双方で反応物を完全に隔離する必要がある。高温、すなわち５００から１０００℃においてこの機能を果たせる材料の範囲は、このようなタイプの燃料セル（ＳＯＦＣ）を備える材料の多様性により課される制約のため、非常に制限されている。なる基本セルとこれらそれぞれのコネクタすなわちインタコネクタとの間で電気的接続が確保されなければならないことを考慮すると、ガスの隔離は、いっそう困難となる。
【０００６】
現在、このタイプの燃料電池（ＳＯＦＣ）の要求に適合できる材料は、特にこの封止状態を考慮すると、わずかしかない。多くの特許は、酸化剤ガス及び燃料の分配のための独創的な解決法、すなわち積層体の汎用化を提案としているが、このような積層体で構成される燃料電池のための全体的な封止のための解決法を提案していない。
【０００７】
例えば、特許文献１を従来例として引用することができ、これには封止のない構造について記載されているが、バッテリの周辺において燃焼する未使用のガスを回収できない。
【０００８】
特許文献２は、多孔質電極の局所的な緻密化及び焼結前の特定領域の圧縮による基本セルの封止について記載している。この技術は、同様に効果的であるが、すべての起こりうる事態を解決できず、また、このような燃料電池を正確に働かせるために他の封止モードが必要となる。
【０００９】
最後に、特許文献３は、雲母の封止を用いるシステムであって積層体の高温領域から離間し、酸化剤及び燃料ガスを積層体内に流入させるための機械的押圧部を用いることによって燃料及び酸化剤ガスの分配回路の封止を達成するためのシステムについて記載している。基本セルの位置における封止は、取り扱われないが、このようなタイプの燃料電池の動作中に一定の漏れが避けられないことを明白に述べている。
【先行技術文献】
【特許文献】
【００１０】
【特許文献１】国際公開第０２／１７４１９号パンフレット
【特許文献２】米国特許第６０５１３３０号明細書
【特許文献３】米国特許第６０４５９３５号明細書
【発明の概要】
【発明が解決しようとする課題】
【００１１】
したがって、本発明の目的は、基本セルを電気的に相互接続(interconnect)するためのシステムと干渉しない効果的な封止システムを備える燃料電池の積層体のタイプを提案することである。
【課題を解決するための手段】
【００１２】
この目的を達成するため、本発明の第１の主題は、インタコネクタと交互に配置される電極／電解液／電極タイプの基本セルの積層体により構成される固体電解質型燃料電池である。
【００１３】
本発明によれば、積層体を囲む単一の密閉された垂直封止部が用いられる。これにより、基本セルそれぞれの内側における封止は、外側に関して達成される。さらに、システムの全体封止は単一の封止部を用いることで確実に行われ、その配置及びその構造により、ガス供給及びガス回収のネットワークの位置において、並びに積層体における異なるセル間における封止を同時に確実とすることを可能としている。また、電極の電気的接続部の間の導通状態は、積層体の構成要素の間に配置されたいずれの封止部によっても阻止されない。これは、本発明の重要な要素を構成する。
【００１４】
この組立体を保護することを目的として、封止部の周囲に配置された閉込管部を用いることが好ましい。
【００１５】
本発明の好ましい形態において、横流路穴部は、単一の封止部に配置されてもよい。注入及び排出穴部は、燃料及び酸化ガスの分配及び放出を達成するために閉込管部に配置されている。
【００１６】
閉込管部の具体的な形態は、オープンとして知られる形状、すなわち巻貝(snail)形状セクションを構成し、垂直封止部は、周囲に沿う累進的な直径(progressive diameter)を有し、異なる直径で配置された閉込管部の２つの端部の重複範囲において径方向延長部を備える対応セクションを構成する。
【００１７】
本発明の第２の主題は、電極／電解液／電極タイプの基本セルの積層体であって、基本セルが、インタコネクタと交互に配置され、少なくとも２つの燃料ガスの供給管部及び少なくとも２つの酸化ガスの供給管部を当該積層体内に備える積層体で構成される燃料電池である。
【００１８】
本発明によれば、積層体の内側に配置される供給管部それぞれのために供給管部それぞれを取り囲む単一の垂直封止部が用いられ、ガスの放出が積層体の外表面全体にわたって行われる。
【図面の簡単な説明】
【００１９】
【図１】第１の実施形態における燃料電池のセクションを示す上面図であって、以下の図面に関する切断線が示された上面図である。
【図２】本発明の第１の実施形態における第１の正面断面図である。
【図３】本発明の第２の実施形態における第２の角度の第２の正面断面図である。
【図４】本発明の第１の実施形態における第３の角度の第３の正面断面図である。
【図５】本発明の第１の実施形態における第４の角度の第４の正面断面図である。
【図６】本発明の第１の実施形態の別の形態における横断面図である。
【図７】第２の実施形態を示す上面図であって、以下の図面に関する切断線が示された上面図である。
【図８】本発明の第２の実施形態における第１の正面断面図である。
【図９】本発明の第２の実施形態における第２の正面断面図である。
【図１０】本発明の第２の実施形態における第３の正面断面図である。
【発明を実施するための形態】
【００２０】
本発明及び他の技術的特徴は、本明細書を読むこと及びそれぞれ示されたいくつかの図面を参照することでより十分に理解されるだろう。
【００２１】
図１は、本発明における燃料電池であって密閉閉込管部１内に積層体された基本セルの積層体で構成される燃料電池を示す平面図である。積層体は、実際には２つの端部のインタコネクタのうちの１つである密閉カソード拡散部（closing cathodic diffuser）３により閉じられている。密閉カソード拡散部３は、閉込管部１から垂直封止部２により隔離されている。実際には、上記封止部２は、積層体の外壁部と積層体の周囲に配置された閉込管部１との間に配置されている。実用上の観点では、封止部２は、例えば閉込管部１の内壁部に直接的に熱スパッタのような適切な方法により蒸着されるか、またはこれに代えて、封止部が自立構造を備えている(self-structuring)場合には、組立中において２つの構成要素間に配置されてもよい。
【００２２】
この図１には、関係する図面と対応する数字が付された軸により、図２、図３、図４及び図５における異なる平面断面が示されている。図２の平面断面と比較すると、図３の平面断面は、第１の方面から２０°だけ角度オフセットされている一方、図４に関する平面断面は、同じ方面から９０°だけ角度オフセットされている。さらに、図５の平面断面は、他の方面から４０°だけ角度オフセットされている。
【００２３】
２つの供給流路１１及び１２の存在が破線により示されており、それぞれは、所定曲率の長さを有し、中心に向けられている。
【００２４】
２つの燃料排出口１５は、同様に破線で図４の平面における対角線上に示されている。同様に、２つの酸化ガス排出口１７は、図５の平面における対角線上に示されている。
【００２５】
これにより、図２は、第１の正面断面図によって、本発明における燃料セルの第１の実施形態を示している。３つの基本セルは、この積層体内に示されているが、このような基本セルの積層体が基本セルをいくつでも備えてもよいため、この数は固定ではない。基本セルそれぞれは、順に交互に配置された１つのカソード４、１つの電解液５及び１つのアノード６を少なくとも備えている。これら基本セルの形状は、シリンダ状またはプリズム状のセクションの平板セルの形状に限られず、三次元セルを想定してもよく、例えば、他の幾何形状と同様に、波形またはリブにより補強されたワッフル焼き器(waffle iron)であってもよい。
【００２６】
これら３つの基本セル間には、インタコネクタ（または二極性ウエハ）７が挿入されている。密閉カソード拡散部３は、積層体をその上部で閉じており、同様に、アノード拡散支持部８は、積層体の下部にある。積層体は、組立体を囲む閉込管部１により、アノード拡散支持部８の下肩部１９を除く高さ全体にわたってその位置で保持される。基本セルの積層体及びインタコネクタ７と閉込管部１との間には、単一の垂直封止部２があり、垂直封止部２は、閉込管部１及びアノード拡散支持部８の肩部１９の間で垂直封止部２の残部に対して直交する下基部２１により外周面の外側で積層体の上部に向けて開口する。
【００２７】
インタコネクタ７それぞれは、アノード拡散支持部８及び密閉カソード拡散部３と同様に、酸化剤・燃料分配流路１０を有する。２つの構成要素間における電子の移動を確実にするため、第１の基本セルにおけるアノード６は、アノード拡散支持部８のアノード電気接触部２３上に配置されている。インタコネクタ７それぞれのカソード電気接触部２２は、上記基本セルのカソード４と接触して配置されている。そのため、第２の基本セルは、後続のインタコネクタ７のアノード接触部２３上に配置される。密閉カソード拡散部３のカソード電気接触部２２は、積層体における最後の基本セルのカソード４上に配置されており、バッテリのカソードを構成する。
【００２８】
図３は、図２と比較して径方向で別な位置における正面断面図によって、酸化剤及び気化剤（carburant）、すなわち燃料及び酸化ガスの流入を示している。この図３は、３つの構成要素、すなわちカソード３、電解液５及びアノード６を有する３つの基本セルと、２つのインタコネクタ７と、組立体を支持するアノード拡散支持部８及び上部の密閉カソード拡散部３とを示す。上記拡散部は、分配流路に開口する空気供給流路１１を有する。同様に、アノード拡散支持部８は、分配流路９に開口する少なくとも１つの酸素供給流路１２を有する。インタコネクタ７は、同様に、それぞれが分配流路１０及び９に開口する供給流路１１及び１２を有する。
【００２９】
これら異なる供給流路１１及び１２におけるガスの供給は、注入口１３及び１４のようないくつかの間隙穴部を用いて行われ、燃料・酸化剤ガス注入口それぞれは、閉込管部１の壁部に形成されている。同様に、垂直封止部は、同数の対応する間隙穴部４０を有する。したがって、燃料は、供給注入口１３に分配され、そしてアノード６の中心領域に注入されるために燃料供給流路１２内を流れる。
【００３０】
アノード６のレベルにおけるこの燃料の注入は、システムにおける温度均一化の理由により中心で行われるように示されているが、この注入は、他の場所で行われてもよい。アノード６と反対側に配置されたインタコネクタ７の面は、燃料分配流路９を構成する峡谷部（gorges）とアノード電気接触部２３を構成する伸出部（outgrowths）とを備えて構成される。
したがって、積層体の電気的導通を確実にすると同時に、アノード６への燃料の分配が達成される。
これにより、燃料分配流路９は、内部接続されたネットワークであって均一な方式でアノード６の表面全体にわたって中心にある唯一の燃料注入ポイント２４から燃料ガスを拡散するためのネットワークを形成する。
【００３１】
燃料ガスの分配及びアノード表面におけるアノード電気接触部２３の形状を単純化するため、注入ポイント２４の数を増やすことができる。幾何パターン及び分配流路９の形状は、固定されておらず、具体的には螺旋、迷路模様(labyrinth)、パッド及び他の形状のような他のいずれの幾何形状を想定してもよい。同様の幾何形状は、第１の基本セルにおけるアノード６と対向するアノード拡散支持部８の面にあり、燃料分配流路９及びアノード電気接触部２３の形態をなす。燃料は、いったん燃料分配流路９内に分配されると、そこで酸化されるアノード６内に行き渡る。これらアノード６は、酸化を促進するため、燃料に最大変換面(maximum exchange surface)をもたらすように多孔質となっている。
【００３２】
この同じ図３は、同様に、基本セルに酸化剤ガスを供給するためのシステムを示している。そして、このような酸化剤ガスは、酸化剤ガス注入口１４を介して分配され、そしてカソード４の中心領域に注入される酸化剤ガス供給流路１１内を流れる。カソード４のレベルにおけるこの酸化剤ガスの注入は、システムにおける温度均一化の同一の理由のため中心で行われるように示されているが、この注入は、他の場所において行われてもよい。
【００３３】
カソード４と対向配置されたインタコネクタ７の面は、アノード６と対向配置されたインタコネクタ７の面のイメージ、すなわちカソード電気接続部２２と交互配置される酸化剤ガス分配流路１０のネットワークである。同様の幾何形状は、密閉カソード拡散部３の面にあり、酸化剤ガス分配流路１０及びカソード電気コネクタ２２の形態をなす。燃料のためと同様に、酸化剤ガスは、供給流路１１及び分配流路１０の間における１またはいくつかの注入ポイント２５により注入されてもよい。いったん分配流路１０内に分配されると、これにより酸化剤ガスは、カソード４を突き抜け、そこで還元される。これらカソード４は、その還元を促進するため、酸化剤ガスに最大変換面をもたらすように多孔質となっている。
【００３４】
機械加工及び組立の許容誤差と組立中の配置不良とにより妨げられないために、供給注入口１３及び１４の直径を供給流路１１及び１２の直径よりも大きく形成することは重要である。さらに、閉込管部１における供給注入口１３及び１４の軸と内側積層体の供給流路１１及び１２との間の高さ違いについて、ガスのための最小通路セクションを確保することが可能となる。実際には、そのような高さ違いは、燃料電池の異なる要素を構成する材料の温度膨張差が原因となる。同様に、反対側、すなわち供給注入口１３及び１４の直径を供給流路１１及び１２の直径よりも小さく穿孔することが可能となる。
【００３５】
図４は、本発明の第１の実施形態における燃料排出・回収回路を示している。
【００３６】
図３に関して上記のように導入された燃料の一部であってアノード６で反応しない燃料の一部は、分配流路９において循環する燃料の流動により排出される。これを達成するため、燃料分配流路９は、インタコネクタ７に位置付けられた１つの燃料排出端部１６とカソード拡散部３に位置付けられた１つの燃料排出端部１６とによりアノード６と接触した状態で終結されている。もちろん、垂直封止部２は、閉込管部１に形成された燃料排出口１５と一致して穿孔されている。
【００３７】
図５を参照すると、余分な酸化剤ガスの回収排出口は、前の段落に記載された燃料の回収と同様に構成されている。ここで、酸化剤ガス排出端部１８は、酸化剤ガス分配流路１０における１つの排出端部を構成し、これらは、カソード４に配置されている。これら分配流路それぞれは、インタコネクタ７にある１つの酸化剤ガス排出端部１８と密閉カソード拡散部３にある追加の１つの酸化剤排出端部１８とを有する。酸化剤ガス排出口１７は、垂直封止部２において対応する穴部と同様に閉込管部１に形成されている。
【００３８】
繰り返すが、機械加工及び組立の許容誤差と組立中の配置不良により妨げられないために、燃料排出端部１６及び酸化剤排出端部１８の直径よりも大きい直径を有する燃料排出口１５（図４）及び酸化剤ガス排出口１７を形成することは重要である。さらに、これにより、閉込管部１における供給注入口１３及び１４の軸と内側積層体の供給流路１１及び１２との間の高さ違いについて、ガスのための最小通路セクションを確保できる。このような高さ違いは、この積層体を構成する異なる材料の温度膨張によりもたらされる差異が原因となりうることを想起されるだろう。
【００３９】
燃料のためと同様に、逆のこと、すなわちセクションを有するガス排出端部１６及び１８が閉込管部１に形成された排出口１５及び１７のセクションよりも大きくすることが想定されうる。これら図１、図２、図３及び図４において、それぞれのガスのための注入口及び排出口は、２つ示されているが、同時期に注入口及び排出口をいくつでも用いることができる。同様に、これらガスの単一の注入ポイントのみが複数のセルの位置において示されている。これらガスの流動の均一化のため、これら注入ポイントを増大させることが可能である。
【００４０】
第１の実施形態の別の形態は、図６により上面図で示される。積層体のセクションは、非対称であり、閉込管部及び封止部のように「オープン」として知られる構造を有することがわかる。実際には、閉込管部１は、累進的な直径を有するセクション、すなわち巻貝形状（snail shape）であってこれら２つの端部３７及び３８のレベルにおいて自身を覆うセクションを備えている。同様に、垂直封止部３２は、外側端部３８に結合するために径方向延長部２９により径方向で終結される１つの内側端部３４を覆う１つの外側端部３９を有する累進的な直径のセクションを有する。
【００４１】
もちろん、インタコネクタ、密閉カソード拡散部、アノード拡散支持部及び電解液のような積層体にある部品及び要素の形状は、図６に示されているように、密閉カソード拡散部３３のため、閉込管部３１の内側壁部の形状と適合する形状を有する。大きな熱勾配を避けるため、カソード及びアノードは、円形を保つことが好ましい。さらに、図６に示す幾何形状は、決して限定されず、他の形状の閉込管部が想定されて良い。オープンの閉込管部の本質原理さえ守られていれば差し支えないのである。
【００４２】
他の動作ポイントを考慮すると、この本質は、上述された構造と一致したままである。それにもかかわらず、ガスの注入及び排出導管が、膨張後にこれらガスの供給及び排出流路と対向配置されたままとすることを確実することが必要である。
【００４３】
このような幾何形状の有利点は、軸方向の膨張に加えて径方向の膨張を可能とすることである。
【００４４】
実際には、これにより管部は、動作温度において粘性を有する垂直封止部３２という手段（intermediary）を介して、積層体上をスライドすることにより、積層体の局地的な直径へと自身を適合させることができる。閉込管部３１の内側に配置されてインタコネクタ、セル、アノード拡散支持部及び密閉カソード拡散部を備える内側積層体３６は、全方向に膨張できる。さらに、積層体の直径は、制御されてもよく、基本セル及びインタコネクタの組立が容易になる。封止は、クランプ効果によって高温において確実にされ、閉込管部３１の周囲に配置された締付システム３５という手段を介して組立体の膨張に応じて組立体に適合する。
【００４５】
以下の図面は、第２の実施形態に関ており、積層体の周囲に配置された単一の閉込容器を用いていない。この構造は、２つの酸化剤ガス供給管部５３及び２つの燃料供給管部５６を有する。これら４つの供給管部５３及び５６それぞれは、単一の垂直封止部５２により外表面が覆われている。この実施形態において、４つの供給管部が示されているが、この図は制限されない実施形態を構成している。
【００４６】
この実施形態では、未使用のガスの回収がもたらされない。実際には、上記ガスは、積層体の周囲で燃焼する。したがって、積層体は、インタコネクタの積層体と同様の形態をなし、これら供給管部５３及び５６により横断される基礎セルの形態をなす。インタコネクタ、基本セル、密閉カソード拡散部及びアノード拡散支持部の間の電気的導通は、前の実施形態に示されるように、確実にされている。
【００４７】
図８は、酸化ガスの流入のレベルにおける積層体の中心を通過する正面断面図である。供給管部が積層体の中心において積層体を横断しないことがわかるだろう。
【００４８】
図９は、図７において符号５３で示される酸化ガス供給管部を通過する他の正面断面図である。これらは、酸化ガス分配流路５０内に開口する酸化ガス供給貫通孔５４により酸化ガスを初期セルそれぞれの位置に供給する。上記流路は、相互接続されており、カソードの表面全体にわたって酸化ガスを均一に分配できる。そして、酸化ガスは、多孔質電極を突き抜けることができ、その内部で還元される。反応しなかった酸化ガスの一部は、酸化ガス排出ポイント５０を介してこれらガスを搬送する流動により排出される。
【００４９】
図１０は、燃料供給管部５６を示す類似の図であって、酸化ガス供給管部５３と類似の方式で積層体を横断する図である。同様に、基本セルそれぞれの位置において、燃料供給貫通孔５７が設けられ、燃料分配流路５９内に開口している。上記流路は、酸化ガスがアノードの前面にわたって均一な方式で広がるために相互接続されている。そして、燃料は、多孔質である上記アノードを突き抜け、中で酸化されうる。反応しなかった燃料の一部は、燃料排出ポイント６８を介して燃料ガスの流動により排出される。
【００５０】
封止と電気的接触部との分離の本質は、これにより、このタイプの構造に保存される。
これにより、ガスの分離は、酸化ガス供給管部５３及び燃料供給管部５６を閉塞するようにするいくつかの垂直封止部５２によって達成される。
【００５１】
したがって、このような燃料電池の構造は、積層体の電気的導通の面と異なる面でバッテリの組立体における封止を達成する。そして、１つの寸法誤差は、他の寸法誤差と無関係であり、必要とする接触は、異なる方向において発生する。これにより、この構造は、特定の機械加工及び組立の許容誤差により妨害されなくすることができる。
【００５２】
また、この構造は、第１の実施形態においてはすべての積層体のための単一の封止部で、第２の実施形態においては４つの封止部を用いて、基本セルの位置におけるガスの供給、回収及び分離の段階における燃料電池の封止できるという有利点を有する。
【００５３】
このタイプの燃料電池は、動作温度において粘性を有するこれら垂直封止部を用いて、基本セル、インタコネクタ及び閉込管部内の密閉カソード拡散部をスライドすることによって組立体を軸方向に膨張させることが可能となるという有利点を有する。径方向の膨張は、これまたはこれらの垂直封止部の変形により幾何学的に吸収される。また、第２の実施形態は、積層体の要素における径方向の膨張を適応可能とする。
【００５４】
第１の実施形態は、積層体を構成する異なる要素のために密閉チャンバを形成する閉込管部１に関して他の有利点を有する。これにより、発電機組立体においていくつかの積層体を直列及び／または並列接続で配置することができる。
【００５５】
燃料電池のこの構造は、ガスを分配または回収するための比較的単純なシステムを有する。実際には、ガスそれぞれは、単一のポイントにより積層体内に導入され、積層体全体に対して２つのポイントにより排出される。この構造概念により、燃料電池の構成を安価にすることができる。いくつかの積層体の形状を想定してもよく、燃料セルの寸法についても同様である。最後に、この構造は、積層体の異なる構成要素の構成するために使用される材料の選択を制限しない。
【符号の説明】
【００５６】
１，３１  密閉閉込管部，閉込管部
２，３２  垂直封止部，封止部
７  インタコネクタ
１１  酸化剤ガス供給流路，空気供給流路，供給流路（排出穴部）
１２  酸素供給流路，燃料供給流路，供給流路（排出穴部）
１４  酸化剤ガス注入口（排出穴部）
１５  燃料排出口，排出口（排出穴部）
１７  酸化ガス排出口，酸化剤ガス排出口（排出穴部）
１８  酸化剤ガス排出端部，酸化剤排出端部（排出穴部）
２９  径方向延長縁部
３７，３８  外側端部，端部
４０  間隙穴部（横流路穴部）
５３  酸化剤ガス供給管部（供給管部）
５６  燃料供給管部（供給管部）
【図１】
0005596112.tif 000002
【図２】
0005596112.tif 000003
【図３】
0005596112.tif 000004
【図４】
0005596112.tif 000005
【図５】
0005596112.tif 000006
【図６】
0005596112.tif 000007
【図７】
0005596112.tif 000008
【図８】
0005596112.tif 000009
【図９】
0005596112.tif 000010
【図１０】
0005596112.tif 000011